(57)【特許請求の範囲】
【請求項１】
入浴者の居る浴室内の空気をユニット内へ吸込み、前記入浴者に直接当たらない方向へ吹出させて循環させる送風手段と、
前記送風手段により循環される空気を前記ユニット内で加熱する加熱手段と、
予め設定された空調条件に基づいて前記送風手段及び前記加熱手段を制御する空調制御手段と、
前記浴室の形体または工法を設定するための浴室切換入力端子と、
前記浴室切換入力端子が短絡又は開放されたことに応じて前記空調制御手段による制御を切り換える切換手段と、
を備えることを特徴とする浴室暖房ユニット。
【請求項２】
前記加熱手段は、温水を熱源として前記空気を加熱するように構成することを特徴とする請求項１記載の浴室暖房ユニット。
【発明の詳細な説明】
【０００１】
【発明の属する技術分野】
本発明は、浴室暖房ユニットに係り、詳細には、入浴者の居る浴室内の暖房を行う浴室暖房ユニットに関する。
【０００２】
【従来の技術】
居間や寝室等の居室には室内の空気調和を図るために空調装置（以下「エアコン」という）が設けられるのが一般的となっていたが、近年では浴室にもエアコンを設置し、冬期間の暖房運転が望まれてきた。このような要求はエアコンの小型化、低価格化、省エネルギー化が進み、エアコンが普及し、家全体の空調が拡がるに従って多くなっている。
【０００３】
従来の浴室暖房は、入浴前に冷えている浴室を予め暖め、入浴中には暖房運転は行わないものが主流であった。
【０００４】
また、浴室のタイプとしては所謂ユニットバスのタイプや、在来工法によるバス（タイル張り等のバス）があり、これらはそれぞれ断熱力（暖房負荷）が異なるため、浴室のタイプによっては浴室内が異常高温に到る場合があった。
【０００５】
【発明が解決しようとする課題】
本発明は上記事実に鑑みてなされたものであり、浴室内に入浴者が居ない場合にはあまり問題とならない上記問題点を、入浴者が居ることのできる程度に解消する浴室暖房ユニットを提案することを目的とする。
【０００６】
【課題を解決するための手段】
請求項１に記載の発明は、入浴者の居る浴室内の空気をユニット内へ吸込み、前記入浴者に直接当たらない方向へ吹出させて循環させる送風手段と、前記送風手段により循環される空気を前記ユニット内で加熱する加熱手段と、予め設定された空調条件に基づいて前記送風手段及び前記加熱手段を制御する空調制御手段と、前記浴室の形体または工法を設定するための浴室切換入力端子と、前記浴室切換入力端子が短絡又は開放されたことに応じて前記空調制御手段による制御を切り換える切換手段と、を備えることを特徴としている。
【０００８】
請求項２記載の発明は、前記加熱手段は、温水を熱源として前記空気を加熱するように構成することを特徴としている。
【００１０】
請求項１記載の発明によれば、入浴者の居る浴室内の空気をユニット内へ吸込んで加熱手段により加熱し、該加熱された空気を送風手段によって浴室内に循環させる。加熱手段及び送風手段は、予め設定された空調条件、例えば風量や設定温度等に基づいて制御される。この際、入浴者に直接当たらない方向へ空気が吹出されるように制御される。このため、入浴者の居る付近が暖まり過ぎることがなく、入浴者に不快感を与えることがない。また、浴室の形体や工法、例えばユニットバスか、在来工法によるバス（タイル張り等のバス）か等によって暖房負荷が異なる場合があり、入浴者に直接当たらない方向へ空気が吹出された場合には、浴室の形体や工法によっては十分に暖まらない場合がある。そこで、浴室の形体または工法を設定するための浴室切換入力端子が短絡又は開放されたことに応じて、切換手段により、空調制御手段による制御を切り換える。このため、入浴者に直接当たらない方向へ空気が吹出されるようにした場合においても、浴室の形体や工法に応じて最適な空調制御を行うことができる。なお、加熱手段の熱源は、請求項２に記載したように、例えば給湯器等によって加熱された温水を用いるようにしてもよい。
【００１１】
【発明の実施の形態】
以下、図面を参照して本発明の実施の形態について詳細に説明する。
【００１２】
図１には、浴室暖房ユニットとしての温水エアコン１０を浴室１００及び脱衣室１０２に適用した場合の概略構成が示されている。図１に示されるように、温水エアコン１０は、暖房や乾燥、換気を図る浴室１００及び脱衣室１０２の天井裏に配置された室内ユニット１６、１８などから成る室内機１２、室外に設置される室外機１４、脱衣室１０２内の内壁面に設置されるメインリモコン１０４Ｍ、台所など浴室１００及び脱衣室１０２から離れた所に設置されるサブリモコン１０４Ｓ等によって構成されている。この温水エアコン１０では、室外機１４から供給される温水が室内ユニット１６、１８を循環することによって暖房運転が行われる。
【００１３】
図２に示す如く、温水エアコン１０の室内ユニット１６、１８には、温水が循環される温水用の熱交換器である放熱器（加熱手段）２０、２２がそれぞれ備えられている。室内ユニット１６の放熱器２０は、例えばフレキシブルな温水配管（以下、「温水チューブ」という）３０Ａ、３０Ｂを介して室外機１４に接続され、室内ユニット１８の放熱器２２は室内ユニット１６から分岐された温水チューブを介して室外機１４に接続されている。
【００１４】
一方の温水チューブ３０Ａは、室外機１４の温水入口ニップル５６Ａへ接続され、他方の温水チューブ３０Ｂは、室外機１４の温水出口ニップル５６Ｂへ接続されている。また、室内機１２の側では、温水チューブ３０Ｂが温水入口ニップル６６Ａへ接続され、この温水入口ニップル６６Ａから温水開閉弁６８Ａ、６８Ｂを介して放熱器２０、２２に接続され、温水チューブ３０Ａが温水出口ニップル６６Ｂを介して放熱器２０、２２に接続されている。
【００１５】
また、室外機１４内では、温水出口ニップル５６Ｂが、温水熱交換器６４、ポンプ６２及びプレッシャタンク６０を介して温水入口ニップル５６Ａに接続されており、これによって、室内機１２と室外機１４との間で密閉された温水の循環路が形成されている。
【００１６】
なお、図２においては図示は省略したが、室内ユニット１６の温水の入口及び出口には循環する温水の温度を検出する温水入口センサ３２、温水出口センサ３４が、室内ユニット１８の温水の入口及び出口には温水入口センサ３６、温水出口センサ３８がそれぞれ設けられている。
【００１７】
室外機１４には、機外から燃焼用の燃料、例えばガスが供給されるガスバーナー７０が設けられており、このガスバーナー７０によって温水熱交換器６４を加熱することにより、温水熱交換器６４内を通過する水を加熱して温水を生成する。なお、ガスバーナー７０は、ガス電磁弁１８０Ａ、１８０Ｂ及びガス比例弁１８２を介してガスが供給される。また、プレッシャタンク６０は、プレッシャキャップ５８を介してドレインタンク７２に接続されており、温水循環路を循環する水（例えば蒸留水）は、ドレインタンク７２を介して排出される。
【００１８】
温水エアコン１０は、暖房運転時には、室外機１４のポンプ６２及びガスバーナー７０を作動させると共に、室内機１２に設けている温水開閉弁６８Ａを開いて温水を室内ユニット１６へ循環させ、温水開閉弁６８Ｂを開いて温水を室内ユニット１８へ循環させる。このとき、室外機１４では、温水熱交換器６４と温水出口ニップル５６Ｂの間に設けられている高温サーミスタ（図示省略）の検出温度が約８０°Ｃ程度の所定温度（例えば８２°Ｃ）となるように温水熱交換器６４を加熱するガスバーナー７０に供給する燃料の量を制御する。なお、温水開閉弁６８Ａ、６８Ｂの開度は、室内温度と設定温度等に応じて設定される。
【００１９】
室外機１４では、水温（温水の温度）が上昇して内圧が所定値（例えば０．９kg/cmU）以上となると、プレッシャキャップ５８の圧力弁が作動して、このプレッシャキャップ５８に設けている圧力逃がし口から温水をドレインタンク７２へ流出させて配管内の圧力上昇を防止する。また、室外機１４では、温水の温度が低下して内圧が所定値未満となると、負圧弁が作動してドレインタンク７２から水を回収するようになっている。なお、ドレインタンク７２から溢れた水は、ドレイン配管接続口から排出される。
【００２０】
室内ユニット１６は図３に示す如く、ケーシング４０に囲われた風路４２の中に熱交換器である放熱器２０が配置されており、放熱器２０の下方には循環ファン４４が配置されている。また、風路４２は吸気口４６及び吹出口４８が設けられており、循環ファン（送風手段）４４が回転駆動されると吸気口４６から浴室１００内の空気が吸引され、吸引された空気が放熱器２０によって加熱されて吹出口４８から再び浴室１００内へ吹出されるようになっている。これにより室内の空調を行うことが可能となっている。
【００２１】
さらに、吹出口４８の近傍にはフラップ５０が設けられており、このフラップ５０は図中矢印方向へ向きを変えることができるようになっている。すなわち、フラップ５０の向きを変えることで室内へ吹出される空気の向きを変えることができるようになっている。なお、このフラップ５０の向きは手動または自動で変えることができるようになっている。
【００２２】
この室内ユニット１６は浴室内の天井付近の中央付近に取付けられ、室内ユニット１６の中央に設けられた吸気口４６から吸込んだ浴室１００内の空気は室内ユニット１６の周辺に配置される吹出口４８から浴室１００内に戻される。このとき、吹出口４８から吐出される調和空気が浴室１００の壁に向かうようにフラップ５０の角度を設定し、暖房用の温風が直接浴室内の中央付近にいる入浴者に当たらないようにすることができる。なお、室内ユニット１６は、天井の中央付近に限らず、吹出口４８から吐出される調和空気が浴室１００の壁に向かうようにすることができる位置であればよい。
【００２３】
また、ケーシング４２内には換気用のダクト８２が設けられており、一方は浴室１００内の空気を吸引するための吸気口８４として、他方は吸引した空気を排気するための排気口８６として開口されている。ダクト８２内には浴室１００内を換気するための換気ファン８８が配置されており、この換気ファン８８が回転駆動することにより浴室１００内の空気を吸気口８４から吸引し、排気口８６から室外へ排気することにより室内の換気が行われる。
【００２４】
なお、脱衣室１０２の天井裏に設けられた室内ユニット１８は上述した室内ユニット１６から換気用のダクト８２及び換気ファン８８を取り除いたものであり、その他の構成は室内ユニット１６とほぼ同様であるので詳細な説明は省略するが、室内ユニット１８においては図１に示す如く排気口が廊下に通じている。このように、室内ユニット１８には換気ファンがないため、室内ユニット１６により脱衣室１００の換気ができるように、脱衣室１０２と浴室１００との間の壁面１０６の下方は脱衣室１０２から浴室１００へ空気が抜けるようにスリット１０８が設けられている。また、図３においては図示は省略したが、吸気口４６の近傍には、吸引した空気の温度を検出するための吸込温度センサ４７が設けられている。同様に、室内ユニット１８の吸気口の近傍にも吸込温度センサ４９が設けられている。
【００２５】
図１に示す如く、室内ユニット１６と室内ユニット１８は電源線１１０で接続されており、この電源線１１０から電源（ＡＣ１００Ｖ）が供給されることにより動作する。また、室内ユニット１６には、図６に示すようなメインリモコン１０４Ｍ及びサブリモコン１０４Ｓがリモコン信号線１１２を介して接続されている。室内ユニット１６は、これらのリモコンからの操作信号に応じて通信線１１４を介して室外機１４に制御信号を送信することにより室外機１４を制御するようになっている。
【００２６】
室内ユニット１６は図４に示すように、マイコン１２０及び外部ＲＯＭ１２１を備えたコントロール基板１２２を備えている。コントロール基板１２２には、運転用の交流電力（１００Ｖ）が漏電ブレーカ１２４を介して供給され、この交流電力は電源トランス１２６によって所定の電圧に降圧される。なお、電源トランス１２６には温度ヒューズ１２８が接続されている。
【００２７】
また、コントロール基板１２２には、循環ファン４４を駆動するための循環ファンモータ１３０、換気ファン８８を駆動するための換気ファンモータ１３２が接続されており、この循環ファンモータ１３０、換気ファンモータ１３２にはファンモータコンデンサ１３４、１３６がそれぞれ接続されている。さらに、循環ファンモータ１３０は、電源周波数切換部１３８において、供給される交流電力の周波数に応じて５０Ｈｚか６０Ｈｚの何れかに切り換えることができるようになっている。
【００２８】
その他に、コントロール基板１２２には温水開閉弁６８、吸込温度センサ４７、温水入口センサ３２、温水出口センサ３４、メインリモコン１０４Ｍ、サブリモコン１０４Ｓが接続されている。
【００２９】
マイコン１２０は、メインリモコン１０４Ｍまたはサブリモコン１０４Ｓから送信された操作信号を受信すると、この操作信号に基づいた空調運転を開始する。すなわち、マイコン１２０は、メインリモコン１０４Ｍまたはサブリモコン１０４Ｓによって設定された運転モード及び吸込み温度センサ４７により検出された吸込温度に基づいて循環ファン４４や温水開閉弁６８、室外機１４等を制御し、浴室１００内が設定温度となるように空調運転を行う。このとき、マイコン１２０は所定の時間間隔で吸込温度を検出して、この検出結果に基づいて適切な室温が保たれるように制御する。なお、室外機１４は、マイコン等を含んで構成されるコントロール基板を備えており、室内ユニット１６から通信線１１４を介して送信される制御信号に基づいて制御されるようになっている。
【００３０】
また、コントロール基板１２２には浴室切換入力端子１４０が設けられており、この端子をジャンパー線１４２等によりショート（短絡）するか、オープン（開放）にすることにより温水エアコン１０を適用する浴室の形体をユニットバスか在来バスかを設定することができるようになっている（本実施の形態ではユニットバスに設定されている）。また、外部ＲＯＭ１２１には浴室の形体に応じて最適な空調制御を行うための情報が予め記憶されており、この情報に基づいて空調制御を行う（後述）。なお、浴室の形体の設定は、ジャンパー線１４２に限らず、スイッチを設けて切り換えるようにしてもよいし、浴室の形体を外部ＲＯＭ１２１に記憶させて、これをマイコン１２０で読み込むことで切り換えるようにしてもよい。
【００３１】
室内ユニット１８は図５に示すようにマイコン１５０を備えたコントロール基板１５２を備えている。コントロール基板１５２には、運転用の交流電力（１００Ｖ）が室内ユニット１６を介して端子１５４へ供給され、この交流電力は電源トランス１５６によって所定の電圧に降圧される。
【００３２】
また、コントロール基板１５２には、循環ファン（図示省略）を駆動するための循環ファンモータ１５８が接続されており、循環ファンモータ１５８にはファンモータコンデンサ１６０が接続されている。さらに、循環ファンモータ１５８は、電源周波数切換部１６２において、供給される交流電力の周波数に応じて５０Ｈｚか６０Ｈｚの何れかに切り換えることができるようになっている。
【００３３】
その他に、コントロール基板１５２には温水開閉弁６８、吸込温度センサ４９、温水入口センサ３６、温水出口センサ３８が接続されている。
【００３４】
また、コントロール基板１５２はコントロール基板１２２と通信線１１５で接続されており、メインリモコン１０４Ｍまたはサブリモコン１０４Ｓにより脱衣室１０２に関する操作がなされるとコントロール基板１２２から操作信号が送信され、この操作信号に基づいた空調運転を開始する。すなわち、マイコン１５０は、メインリモコン１０４Ｍまたはサブリモコン１０４Ｓによって設定された運転モード及び吸込み温度センサ４９により検出された吸込温度に基づいて循環ファンモータ１５８や温水開閉弁６８、室外機１４等を制御し、浴室１００内が設定温度となるように空調運転を行う。このとき、マイコン１５０は所定の時間間隔で吸込温度を検出し、この検出結果に基づいて適切な室温が保たれるように制御する。
【００３５】
また、コントロール基板１５２には換気連動切換入力端子１６６が設けられており、この端子をジャンパー線１６８等によりショート（短絡）するか、オープン（開放）にすることにより、換気ファンを接続せずに浴室１００の室内ユニット１６を利用して換気を行うか、コネクタ１７０に換気ファンを接続して浴室１００と独立して脱衣室１０２を換気することができるようにするかを設定することができるようになっており（本実施の形態では換気ファンを接続していない）、マイコン１５０ではそれぞれの設定に応じた空調制御を行うことができるようになっている。なお、ジャンパー線１６８に限らず、スイッチを設けて切り換えるようにしてもよいし、換気ファンを接続するか否かの情報を外部ＲＯＭ等に記憶させて、これをマイコン１５０で読み込むことにより切り換えるようにしてもよい。
【００３６】
図６には、メインリモコン１０４Ｍが示されている。なお、サブリモコン１０４Ｓもメインリモコン１０４Ｍと同様の構成であり説明は省略する。メインリモコン１０４Ｍには、脱衣室用の換気・涼風スイッチ１７２及び暖房スイッチ１７３、浴室用の乾燥スイッチ１７４、換気スイッチ１７５及び暖房スイッチ１７６、切タイマー設定スイッチ１７７が配置されている。
【００３７】
メインリモコン１０４Ｍでは、脱衣室用の換気・涼風スイッチ１７２を操作することにより脱衣室１０２内を換気する換気モードに設定され、暖房スイッチ１７３を操作することにより脱衣室１０２内を暖房する暖房モードに設定される。なお、換気・涼風スイッチ１７２及び暖房スイッチ１７３は、スイッチを押すごとに風量が「強風」、「弱風」、「切」の状態に順次切り換わるようになっている。
【００３８】
同様に、浴室用の換気スイッチ１７５を操作することにより浴室１００内を換気する換気モードに設定され、暖房スイッチ１７６を操作することにより浴室１００内を暖房する暖房モードに設定される。さらに、乾燥スイッチ１７４を操作することにより浴室１００内を乾燥する乾燥モードになる。なお、換気スイッチ１７５及び暖房スイッチ１７６は、スイッチを押すごとに風量が「強風」、「弱風」、「切」の状態に順次切り換わり、乾燥スイッチ１７４は、スイッチを押すごとに「衣類乾燥モード」、「壁面乾燥モード」、「切」の状態に順次切り換わるようになっている。
【００３９】
なお、浴室の暖房モードにおいて、風量を強風に設定した場合は主に浴室を予備暖房として暖める場合に適した制御が行われ、弱風に設定する場合は人が入浴中に浴室を暖める場合に適した制御が行われるようになっている。
【００４０】
さらに、切タイマー設定スイッチ１７７の右側を押すごとに切タイマー残時間が２時間までは３０分ごとに、２時間を越えると１時間ごとに最大４時間まで切タイマーを設定できるようになっている。また、切タイマー設定スイッチ１７７の左側を押すごとに切タイマー残時間が減っていくようになっている。
【００４１】
次に、本実施の形態の作用について説明する。
【００４２】
温水エアコン１０では、メインリモコン１０４Ｍ、またはサブリモコン１０４Ｓの操作によって運転モード、切タイマー時間等が設定され、該設定に応じた運転モードでの空調運転を開始する。
【００４３】
以下、ユーザがメインリモコン１０４Ｍまたはサブリモコン１０４Ｓの暖房スイッチ１７６を操作して浴室の暖房運転を選択した場合の暖房制御について、図７〜図１０に示すフローチャートに従って説明する。
【００４４】
図７に示すステップ２００では、暖房運転の風量が強風に設定されたか弱風に設定されたかを判断し、強風に設定された場合には、ステップ２０２で図８に示す強風制御ルーチンを実行し、弱風に設定された場合にはステップ２０４で図９に示す弱風制御ルーチンを実行する。なお、弱風制御が行われる場合には、フラップ５０は浴室１００の壁に向かって空気が吹出されるような角度に設定される。
【００４５】
図８には強風制御ルーチンのフローチャートが示されている。図８に示すステップ３００では、図１０に示すサーモ点設定処理ルーチンを実行する。図１０に示すステップ５００では、浴室１００内の空気の吸込温度に応じて温水開閉弁６８及びガスバーナー７０をオンオフする場合の条件を決めるためのＨＩＧＨ側サーモ点ＴＨ及びＬＯＷ側サーモ点ＴＬをマイコン１２０によって外部ＲＯＭ１２１から読み込む。このＴＨ及びＴＬは、設定された風量、浴室の形体によって異なり、一例として以下のように初期値が設定されている。
【００４６】
【表１】
0003883712.tif 000002
マイコン１２０では、浴室切換入力端子１４０がショートされているか、オープンされているかを確認して、適用されている浴室の形体がユニットバスか在来バスかを判断し、該浴室の形体に応じたＴＨ及びＴＬを設定する。
【００４７】
次にステップ５０２で暖房モードを停止してから１時間（在来バスの場合は２時間）以上が経過しているか否かを判断し、１時間以上経過していた場合にはステップ５０４へ進み、１時間以上経過していなかった場合にはステップ５０６で前回の暖房モードの連続運転時間が２０分未満（在来バスの場合は４０分未満）か否かを判断し、２０分未満だった場合にはステップ５０４へ進み、２０分以上だった場合にはリターンする。
【００４８】
ステップ５０４では換気ファン４４によって吸込まれる浴室１００内の空気の吸込温度を吸込温度センサ４７によって検出し、この検出した吸込温度が１０°Ｃ以上か否かを判断し、１０°Ｃ以上だった場合には、ステップ５０８及びステップ５１０でＴＨ及びＴＬをそれぞれ３°Ｃ（在来バスの場合は２°Ｃ）下げる。吸込温度が１０°Ｃ以上でなかった場合にはステップ５１２で吸込温度が５°Ｃ以上１０°Ｃ未満であるか否かを判断し、否定判定の場合にはリターンし、肯定判定の場合にはステップ５１４及びステップ５１６でＴＨ及びＴＬをそれぞれ２°Ｃ（在来バスの場合は１°Ｃ）下げる。
【００４９】
そして、図８に示すステップ３０２で温水開閉弁６８を開くとともにポンプ６２を作動させ、ステップ３０４でガスバーナー７０を点火させる。これにより、水（温水）の循環が開始されると共に温水熱交換器６４を通過する水が加熱されて所定の温度の温水が生成され、この温水が循環される。これにより、室内ユニット１６では、吸込まれた空気が放熱器２０によって加熱され、加熱された空気は吹出口４８から浴室内１００へ向けて吹出される。このため、浴室１００内の温度は徐々に上昇していく。
【００５０】
次に、ステップ３０６では、吸込温度がＴＨ以上の状態が５秒以上継続しているか否かを判断し、５秒以上継続している場合にはステップ３０８及びステップ３１０で温水開閉弁６８及びガスバーナー７０をオフし、浴室１００内の暖房をストップさせる。これにより浴室１００内の温度が徐々に低下していく。吸込温度がＴＨ以上の状態が５秒以上継続していなかった場合にはステップ３１２で吸込温度がＴＬ以下の状態が５秒以上継続しているか否かを判断する。５秒以上継続していた場合には、ステップ３１４及びステップ３１６で温水開閉弁６８及びガスバーナー７０をＯＮする。これにより、再び浴室１００内の暖房を開始する。このため、浴室１００内の温度が再び上昇する。
【００５１】
以上の動作をメインリモコン１０４Ｍ、またはサブリモコン１０４Ｓの暖房スイッチ１７６が操作されて運転モードが変更されるまで繰り返す（ステップ３１８）。以上の動作のタイミングチャートを図１１に示す。このように、吸込温度に応じて温水開閉弁６８及びガスバーナー７０のオンオフを制御するので、浴室１００内を所定範囲内の温度に維持することができる。また、浴室の形体に応じてＴＨ及びＴＬが設定されるので、浴室の形体に応じた最適な空調制御を行うことができる。
【００５２】
図９には、弱風制御ルーチンのフローチャートが示されている。ステップ４００では、上述したサーモ点設定処理が行われ、ステップ４０２及びステップ４０４で温水開閉弁６８及びガスバーナー７０がＯＮされる。これにより浴室１００内の空気が暖められる。そして、ステップ４０６で後述するデューティ制御を行うためのフラグがセットがされる。
【００５３】
ステップ４０８では、吸込温度がＴＨ以上の状態が５秒以上継続しているか否かを判断し、５秒以上継続していると判断した場合にはステップ４１０でフラグをクリアしてステップ４１２へ進み、５秒以上継続していないと判断した場合にはステップ４１４で吸込温度がＴＬ以下の状態が５秒以上継続しているか否かを判断する。５秒以上継続していると判断した場合にはステップ４１６でフラグをセットしてステップ４１２へ進み、５秒以上継続していないと判断した場合にはそのままステップ４１２へ進む。
【００５４】
ステップ４１２ではデューティ制御を行うためのフラグがセットされているか否かを判断し、フラグがセットされていない場合には、ステップ４１８及びステップ４２０で温水開閉弁６８及びガスバーナー７０をＯＦＦする。フラグがセットされている場合には以下に示すデューティ制御を行う。すなわち、ステップ４２２で温水開閉弁６８のＯＮ状態が１７分継続したか否かを判断する。１７分以上継続していた場合にはステップ４２４で温水開閉弁６８をＯＦＦし、ステップ４２６でガスバーナー７０をＯＮする。
【００５５】
ステップ４２２で否定判定となった場合にはステップ４２８で温水開閉弁６８のＯＦＦ状態が３分継続したか否かを判断し、３分継続している場合にはステップ４３０で温水開閉弁６８を再びＯＮし、３分継続していない場合にはそのままステップ４２６へ進んでガスバーナー７０をＯＮする。このように、温水開閉弁６８を所定時間おきにオンオフする。
【００５６】
以上の動作をメインリモコン１０４Ｍ、またはサブリモコン１０４Ｓの暖房スイッチ１７６を操作して運転モードが変更されるまで繰り返す（ステップ４３２）。以上の動作のタイミングチャートを図１２に示す。このように、吸込温度がＴＨ以上の状態が５秒以上になるまで温水開閉弁６８をデューティ制御するので、浴室１００内を所定範囲内の温度に維持することができる。また、浴室の形体に応じてＴＨ及びＴＬが設定されるので、浴室の形体に応じた最適な空調制御を行うことができる。
【００５７】
なお、本実施の形態では、浴室の形体としてはユニットバスまたは在来バスの２種類についてそれぞれ最適な空調制御を行う場合について説明したが、これに限らず、３種類以上の浴室の形体がある場合について本発明を適用するようにしてもよい。
【００５８】
【発明の効果】
以上説明した如く、本発明によれば、浴室内に入浴者が居る際に、入浴者に直接温風が当たらないように温風の吐出方向を浴室の壁に向けても、浴室の形体や工法による暖房負荷の違いに応じて最適な空調制御を行うことができる、という効果を有する。
【図面の簡単な説明】
【図１】本実施の形態に適用した温水エアコンの概略構成図である。
【図２】本実施の形態に適用した温水エアコンの温水の流路を示す概略系統図である。
【図３】室内ユニットを示す概略断面図である。
【図４】室内ユニットの回路構成の概略を示すブロック図である。
【図５】室内ユニットの回路構成の概略を示すブロック図である。
【図６】リモコンの操作パネルを示す概略正面図である。
【図７】暖房制御ルーチンの流れを示すフローチャートである。
【図８】強風制御ルーチンの流れを示すフローチャートである。
【図９】弱風制御ルーチンの流れを示すフローチャートである。
【図１０】サーモ点設定ルーチンの流れを示すフローチャートである。
【図１１】強風制御における吸込温度と温水開閉弁及びガスバーナーのオンオフとの関係を示す線図である。
【図１２】弱風制御における吸込温度と温水開閉弁及びガスバーナーのオンオフとの関係を示す線図である。
【符号の説明】
１０    温水エアコン
１２    室内機
１４    室外機
１６、１８    室内ユニット
２０、２２    放熱器（加熱手段）
４２    風路
４４    循環ファン（送風手段）
４７    吸込温度センサ
６４    温水熱交換器
６８    温水開閉弁
７０    ガスバーナー
１００    浴室
１０２    脱衣室
１２０    マイコン（空調制御手段）
１２１    外部ＲＯＭ
１４０    浴室切換入力端子
【図１】
0003883712.tif 000003
【図２】
0003883712.tif 000004
【図３】
0003883712.tif 000005
【図４】
0003883712.tif 000006
【図５】
0003883712.tif 000007
【図６】
0003883712.tif 000008
【図７】
0003883712.tif 000009
【図８】
0003883712.tif 000010
【図９】
0003883712.tif 000011
【図１０】
0003883712.tif 000012
【図１１】
0003883712.tif 000013
【図１２】
0003883712.tif 000014